(57)【要約】【課題】  Ｔシャツあるいは丸首又はＶネックのセーターなどのような、首部を開口し胸元が塞がっている衣類を掛けるハンガーにおいて、首部などの形を崩すことがない衣服用ハンガーを提供する。【解決手段】  縦長方形状の基板（２）に案内片（１３）により上下に摺動可能に支持されたＴ字状の摺動杆（３）を設け、該摺動杆（３）の上部杆体の両側にラック（５）を配設し、また、肩受け杆（６）の基端部（７）に、前記摺動杆（３）のラック（５）と歯み合うピニオン（８）を配設し、前記摺動杆（３）の上下動に連動して、前記肩受け杆（６）を上下に回動させる衣服用ハンガーに構成した。【選択図】  図１
2006061347.tif 000002
【特許請求の範囲】
【請求項１】
縦長方形状基板に案内片により上下に摺動可能に支持されたＴ字状の摺動杆を設け、該摺動杆の上方杆体にラックを配設し、また、肩受け杆の基端部に前記摺動杆のラックと噛み合うピニオンを配設し、前記摺動杆の上下動に連動して前記肩受け杆を上下に回動させることを特徴とする衣服用ハンガー。
【発明の詳細な説明】
【技術分野】
【０００１】
この発明は、開口部が丸首やＶネックの胸前を開くことができない形式の、Ｖネックセーターや丸首のＴシャツなどの衣服を掛けるのに用いる衣服用ハンガーに関する。
【背景技術】
【０００２】
従来の衣服用ハンガーは、ハの字状に形成された肩受け杆部と該肩受け杆部の中央部に、上方に突出したフック形状の吊り掛け部を配設した形式のもの、また、そのハンガーの左右の肩受け杆部の下端部にズボンその他の衣服あるいはタオルなどを掛けるための吊し杆を掛け渡した形状の衣服用ハンガーがある。
【０００３】
しかし、この種の形状の従来の衣服用ハンガーに、Tシャツまたは丸又はＶネックセーターのような首部を開口とし、胸元が塞がっている衣服を掛けるとき、ハンガーの肩受け部の端部をＴシャツあるいはセーターの首部開口に差込み、次いでもう一方の肩受け端部を首部開口に無理やり差し込んでいる。
【０００４】
従来のハンガーは、上述のように左右の肩受け杆部と該肩受け杆部に架設した吊し杆が一体に形成されている上に、横幅も４２センチ前後と長いために、ＴシャツやＶネックセーター等にハンガーを装着するときに、首部から挿入しての吊り下げ作業は、Ｔシャツやセーターの首部開口から無理やり挿入すると、ハンガーの端部が首部に引っ掛かったりして、首開口部が広がって形くずれを起こす原因と成っている。
【０００５】
上述の開口部が丸首やＶネックの胸前を開くことができない形式の、セーターやＴシャツなどの衣服を掛ける衣服用ハンガーに適した衣服用ハンガーとして、肩受け杆部を二つに折り畳み、その状態で首開口部から衣服内部に挿入し、肩受け杆部を衣服内で拡げる衣服用ハンガーが提案されている。（例えば、特許文献１）
【特許文献１】特開２０００−２３２９３２
【発明の開示】
【発明が解決しようとする課題】
【０００６】
引用文献１に記載のハンガーは、ハンガー吊り下げ部からハの字状の肩形受け部を、水平方向に折り畳可能に形成したので、肩受け杆部を二つに折り畳み、その状態で首開口部から衣服内部に挿入し、肩受け杆部を衣服内で手で拡げる操作を行う形式の衣服用ハンガーであり、また、肩受け部の開閉が衣服内で水平方向に回動し行われるために、衣服内で肩受け杆部の先端が引っかかるなどして生地を傷めるおそれがある。
【課題を解決するための手段】
【０００７】
この発明は上記の課題を解決するために、縦長方形状の基板に案内片により上下に摺動可能に支持されたＴ字状の摺動杆を設け、該摺動杆の上部杆体にラックを配設し、また、肩受け杆の基端部に、前記摺動杆のラックと歯み合うピニオンを配設し、摺動杆の上下動に連動して前記肩受け杆を上下に回動可能に形成した衣服用ハンガーに構成したことである。
【発明の効果】
【０００８】
衣服、特に胸前を開くことができない形式のＴシャツやセーター類をハンガーに掛けるとき、ハンガーは縦長方形状に形成されているので、衣服の首部あるいは裾部から容易に衣服内に挿入でき、挿入後にハンガーの摺動杆を下方に引くことにより肩受け部は起立し、衣服の肩部を支持することができる。
従って衣服の首周りなどの形状を損なうことなく吊り下げることができる。
【発明を実施するための最良の形態】
【０００９】
この発明は、細長方形状のケーシング内に収納されている肩受け杆を起倒自在に形成し、衣服への装着時に肩受け杆を起立させ衣服の肩部を支持させる衣服用ハンガーとしたことである。
【実施例】
【００１０】
この発明の実施例を図面に基づいて説明する。図１はこの発明の衣服用ハンガーのカバーを外した状態の正面図、図２は衣服用ハンガーの正面図、図３は側面図、図４は使用状態を示す図である。
図中の符号１は、縦長方形状のハンガー本体１である。
ハンガー本体１は図１に示すとおり、縦長方形の基板２に頭部４がＴ字形状の摺動杆３を設けた形状からり、該摺動杆３のＴ字形状の頭部４の下面４ａをテーパー状に形成するとともに、該摺動杆３の頭部４の下部に位置する杆体の両側面にラック５を形成する。
【００１１】
一方、前記摺動杆３と並立して肩受け杆６を設け、該肩受け杆６の基端部７に、前記摺動杆３のラック５と噛み合うピニオン８を設ける。また、肩受け杆６の基端部７の頂部を、前記摺動杆３のＴ字状頭部４の下面４ａのテーパー面と合致するテーパー面に形成して、該テーパー面を肩受け杆６の基端部７が回動したときのストッパ７ａに形成する。
【００１２】
摺動杆３の下端部には、ストッパ９及び摺動杆３を上下に操作する引き手１０を設ける。なお、１１は基板２の上端部に設けた吊下げ孔、１２はカバー、１３は摺動杆３の案内片であり、１４はネジ、１５はＴシャツである。
この様に構成した衣服用ハンガー本体１を、図４に示すように肩受け杆６を縦長方形状の本体内に収納した状態で、Ｔシャツ１５の首部又は裾部から衣服内に挿入したのち、摺動杆３の下端部に設けた引き手１０を下方に引いて、摺動杆３を下方に摺動させると、肩受け杆６の基端部７のピニオン８が、摺動杆４のラック５と噛み合っているので、基端部７は上昇し、ピニオン８を有す肩受け杆６の基端部７の頂部は、摺動杆３のＴ字状頭部４の下端面４ａに接触し基端部７の上昇は、ストップするとともに肩受け杆６は起立し、Ｔシャツの肩部に当接してＴシャツを支持することになる。
【００１３】
この発明のハンガーは上記のとおりであるから、衣服、特に胸前を開くことができない形式のＴシャツやセーター類をハンガーに掛けるとき、ハンガーは縦長方形状に形成されているので、衣服の首部あるいは裾部から容易に衣服内に挿入でき、挿入後にハンガーの摺動杆を下方に引くことにより肩受け部は起立し、衣服の肩部を支持することができるので衣服の首周りなどの形状を損なうことなく吊り下げることができる。。
【００１４】
また、Ｔシャツ内に挿入した際ハンガー本体の上端部とＴシャツの首部とを同時に摘み、その状態で引き手１０を引いて肩受け杆を広げてＴシャツを支持した後、物干しなどの所定の場所に吊り下げることができるので作業が簡単ある。
【００１５】
また、装着した衣服を外す場合、通常のハンガーは片方づづ腕の部分を外さねばならず、不自由さと面倒くささを感じるが、このハンガーは引き手１０を上方に押すことによりストッパ９が外れ摺動杆３は上昇し、同時に肩受け杆６が基板２内の旧位置に納まるので、ハンガーを衣服から簡単迅速に取り外しができる。
【００１６】
さらに、開口部が丸首やＶネックの胸前を開くことができない衣服類の着脱は、年配者や手の不自由な人にとって大変な作業であるが、このハンガーは簡単に操作できるので、人に優しいハンガーである。
【図面の簡単な説明】
【００１７】
【図１】この発明の衣服用ハンガーのカバーを外した状態を示す正面図である。
【図２】衣服用ハンガーの正面図である。、
【図３】同側面図である。
【図４】この発明の衣服用ハンガーの使用状態を示す図である。
【符号の説明】
【００１８】
１  ハンガー本体
２  基板
３  摺動杆
４  頭部
４ａ  下面
５  ラック
６  肩受け杆
７  基端部
７ａ  ストッパ
８  ピニオン
９  ストッパ
１０  引き手部
１１  吊下げ孔
１２  カバー
１３  案内片
１４  ネジ
１５  Ｔシャツ
【図１】
2006061347.tif 000003
【図２】
2006061347.tif 000004
【図３】
2006061347.tif 000005
【図４】
2006061347.tif 000006